(57)【要約】 【課題】軽微な違いを考慮せずに付帯情報同士の整合性判定を行う医用画像処理装置を提供する。【解決手段】制御部２１（制御部２１と整合性判定プログラム２５１との協働）は、通信部２４を介して外部機器からＤＩＣＯＭ画像データを取得する。制御部２１は、ＤＩＣＯＭ画像データ管理ＤＢ２５２から比較対象となる患者情報を取得する。制御部２１は、この取得した患者情報と、外部機器から取得したＤＩＣＯＭ画像データの付帯情報に含まれる患者情報との文字フォーマットや文字表記法を合わせ、各患者情報の整合性を判定する。整合が取れていると判定した場合、制御部２１は、外部機器から取得したＤＩＣＯＭ画像データをＤＩＣＯＭ画像データ管理ＤＢ２５２に登録して記憶部２５に記憶させる。【選択図】図４
2010250406.tif 000002
【特許請求の範囲】
【請求項１】
第１の付帯情報が付帯された医用画像データを外部機器から取得し、管理されている医用画像データに付帯する第２の付帯情報を取得し、前記第１の付帯情報と前記第２の付帯情報との文字フォーマット及び／又は文字表記法を合わせ、各付帯情報の整合性を判定し、判定結果を出力する制御手段、
を備える医用画像処理装置。
【請求項２】
前記制御手段は、医用画像データを生成する医用画像撮影装置から前記医用画像データを取得する、
請求項１に記載の医用画像処理装置。
【請求項３】
医用画像データを管理する管理手段を更に備え、
前記制御手段は、前記管理手段により管理されている医用画像データに付帯する第２の付帯情報を取得し、
前記管理手段は、整合が取れている旨の前記判定結果が前記制御手段により出力された場合、前記外部機器から取得された医用画像データを管理する、
請求項１又は２に記載の医用画像処理装置。
【請求項４】
前記外部機器から取得された医用画像データを、医用画像データを管理する医用画像管理装置に送信する送信手段を更に備え、
前記制御手段は、前記医用画像管理装置から前記第２の付帯情報を取得し、
前記送信手段は、整合が取れている旨の前記判定結果が前記制御手段により出力された場合、前記外部機器から取得された医用画像データを前記医用画像管理装置に送信する、
請求項１又は２に記載の医用画像処理装置。
【請求項５】
前記文字フォーマットとは、付帯情報に基づいて表されるローマ字の大小である、
請求項１〜４の何れか一項に記載の医用画像処理装置。
【請求項６】
前記文字フォーマットとは、付帯情報に基づいて表される文字の半角全角である、
請求項１〜５の何れか一項に記載の医用画像処理装置。
【請求項７】
前記制御手段は、前記第１の付帯情報と、前記第２の付帯情報とに含まれる文字スペースを除去し、各付帯情報の整合性を判定する、
請求項１〜６の何れか一項に記載の医用画像処理装置。
【請求項８】
前記制御手段は、前記第１の付帯情報に含まれる項目が欠落している場合、前記第２の付帯情報に基づいて、前記欠落している項目を補間する、
請求項１〜７の何れか一項に記載の医用画像処理装置。
【請求項９】
コンピュータを、
第１の付帯情報が付帯された医用画像データを外部機器から取得し、管理されている医用画像データに付帯する第２の付帯情報を取得し、前記第１の付帯情報と前記第２の付帯情報との文字フォーマット及び／又は文字表記法を合わせ、各付帯情報の整合性を判定し、判定結果を出力する制御手段、
として機能させるためのプログラム。
【発明の詳細な説明】
【技術分野】
【０００１】
本発明は、医用画像処理装置及びプログラムに関する。
【背景技術】
【０００２】
病院や診療所等の医療施設では、Ｘ線撮影装置等の医用画像撮影装置（モダリティ）を用いて患者の撮影が行われ、医用画像（医用画像データ）が生成される。そして、この医用画像に患者情報や検査情報等を含む付帯情報が付帯され、ＤＩＣＯＭ（Digital Imaging and Communication in Medicine）規格に準拠したＤＩＣＯＭ画像データが生成される。ＤＩＣＯＭとは、医用画像の通信及び保存フォーマットに関する標準規格であり、この規格に準拠することで、異なる医療機器間での相互通信性が確保される。
【０００３】
生成されたＤＩＣＯＭ画像データは、ＰＡＣＳ（Picture Archiving and Communication System）と呼ばれる医用画像管理システム（医用画像管理装置）に送信され、このＰＡＣＳにて記憶され管理される（ＰＡＣＳに登録される）。
【０００４】
ところで、誤った患者情報でＤＩＣＯＭ画像データが生成され、このＤＩＣＯＭ画像データがＰＡＣＳに登録された場合、様々な弊害が発生し、ＰＡＣＳにおいて正常な管理ができなくなる。
【０００５】
具体的には、モダリティのオペレータ（撮影技師）の入力ミス等により、誤った患者氏名や重複した患者ＩＤでＤＩＣＯＭ画像データが生成され、このＤＩＣＯＭ画像データがＰＡＣＳに登録された場合、既にＰＡＣＳに登録されているＤＩＯＣＭ画像データの患者情報との整合性の不一致が生じる。そのため、登録されたＤＩＣＯＭ画像データを特定することができなくなったり、登録されたＤＩＣＯＭ画像データと既に登録されている異なる患者のＤＩＣＯＭ画像データとが重複されて管理される等の弊害が発生する。
【０００６】
このような問題を解決するために、ＰＡＣＳに登録する際に、ＤＩＣＯＭ画像データの付帯情報の整合性を判定し、整合が取れているＤＩＣＯＭ画像データのみをＰＡＣＳに登録し、整合が取れていないＤＩＣＯＭ画像データの付帯情報を修正することができる技術が開示されている（特許文献１参照）。
【先行技術文献】
【特許文献】
【０００７】
【特許文献１】特開２００５−１４９１１１号公報
【発明の概要】
【発明が解決しようとする課題】
【０００８】
しかし、ＤＩＣＯＭ画像データをＰＡＣＳに登録する際、付帯情報の整合性の判定を厳格に行うと、付帯情報の違いが軽微な場合でも、ＤＩＣＯＭ画像データをＰＡＣＳに登録できず、ユーザは付帯情報の修正を強いられる。
【０００９】
具体的には、ＰＡＣＳにおいて予め管理されているＤＩＣＯＭ画像データの付帯情報と、登録対象のＤＩＣＯＭ画像データの付帯情報とに含まれるそれぞれの患者氏名のローマ字の大小や、患者氏名のカナの全角半角のみが異なる場合でも不整合とみなされ、ＤＩＣＯＭ画像データを登録することができない。
【００１０】
医療施設内に、複数の異なるベンダのモダリティが設置されている場合は、各ベンダの仕様によりローマ字の大小やカナの全角半角等が異なる。そのため、このような付帯情報の軽微な違いが頻繁に発生してしまう。
【００１１】
本発明は、上述したような課題に鑑みて為されたものであり、その目的とするところは、軽微な違いを考慮せずに付帯情報同士の整合性判定を行う医用画像処理装置を提供することである。
【課題を解決するための手段】
【００１２】
上記の課題を解決するために、請求項１に記載の医用画像処理装置は、
第１の付帯情報が付帯された医用画像データを外部機器から取得し、管理されている医用画像データに付帯する第２の付帯情報を取得し、前記第１の付帯情報と前記第２の付帯情報との文字フォーマット及び／又は文字表記法を合わせ、各付帯情報の整合性を判定し、判定結果を出力する制御手段、
を備える。
【００１３】
請求項２に記載の発明は、請求項１に記載の発明において、
前記制御手段は、医用画像データを生成する医用画像撮影装置から前記医用画像データを取得する。
【００１４】
請求項３に記載の発明は、請求項１又は２に記載の発明において、
医用画像データを管理する管理手段を更に備え、
前記制御手段は、前記管理手段により管理されている医用画像データに付帯する第２の付帯情報を取得し、
前記管理手段は、整合が取れている旨の前記判定結果が前記制御手段により出力された場合、前記外部機器から取得された医用画像データを管理する。
【００１５】
請求項４に記載の発明は、請求項１又は２に記載の発明において、
前記外部機器から取得された医用画像データを、医用画像データを管理する医用画像管理装置に送信する送信手段を更に備え、
前記制御手段は、前記医用画像管理装置から前記第２の付帯情報を取得し、
前記送信手段は、整合が取れている旨の前記判定結果が前記制御手段により出力された場合、前記外部機器から取得された医用画像データを前記医用画像管理装置に送信する。
【００１６】
請求項５に記載の発明は、請求項１〜４の何れか一項に記載の発明において、
前記文字フォーマットとは、付帯情報に基づいて表されるローマ字の大小である。
【００１７】
請求項６に記載の発明は、請求項１〜５の何れか一項に記載の発明において、
前記文字フォーマットとは、付帯情報に基づいて表される文字の半角全角である。
【００１８】
請求項７に記載の発明は、請求項１〜６の何れか一項に記載の発明において、
前記制御手段は、前記第１の付帯情報と、前記第２の付帯情報とに含まれる文字スペースを除去し、各付帯情報の整合性を判定する。
【００１９】
請求項８に記載の発明は、請求項１〜７の何れか一項に記載の発明において、
前記制御手段は、前記第１の付帯情報に含まれる項目が欠落している場合、前記第２の付帯情報に基づいて、前記欠落している項目を補間する。
【００２０】
請求項９に記載のプログラムは、
コンピュータを、
第１の付帯情報が付帯された医用画像データを外部機器から取得し、管理されている医用画像データに付帯する第２の付帯情報を取得し、前記第１の付帯情報と前記第２の付帯情報との文字フォーマット及び／又は文字表記法を合わせ、各付帯情報の整合性を判定し、判定結果を出力する制御手段、
として機能させる。
【発明の効果】
【００２１】
請求項１、９に記載の発明によれば、制御手段は、第１の付帯情報が付帯された医用画像データを外部機器から取得し、管理されている医用画像データに付帯する第２の付帯情報を取得し、前記第１の付帯情報と前記第２の付帯情報との文字フォーマット及び／又は文字表記法を合わせ、各付帯情報の整合性を判定し、判定結果を出力する。
【００２２】
そのため、軽微な違いを考慮せずに付帯情報同士の整合性判定を行うことができる。
【００２３】
請求項２に記載の発明によれば、制御手段は、医用画像データを生成する医用画像撮影装置から前記医用画像データを取得する。
【００２４】
そのため、医用画像撮影装置のベンダ毎の仕様の違い等による付帯情報の軽微な違いを考慮せずに、整合性判定を行うことができる。
【００２５】
請求項３に記載の発明によれば、制御手段は、管理手段により管理されている医用画像データに付帯する第２の付帯情報を取得する。管理手段は、整合が取れている旨の判定結果が前記制御手段により出力された場合、外部機器から取得された医用画像データを管理する。
【００２６】
そのため、医用画像データが軽微な違いのある付帯情報を付帯していたとしても、この医用画像データを管理することができる。
【００２７】
請求項４に記載の発明によれば、制御手段は、医用画像管理装置から第２の付帯情報を取得する。送信手段は、整合が取れている旨の判定結果が前記制御手段により出力された場合、外部機器から取得された医用画像データを前記医用画像管理装置に送信する。
【００２８】
そのため、医用画像データが軽微な違いのある付帯情報を付帯していたとしても、この医用画像データを医用画像管理装置に送信し、医用画像管理装置において管理することができる。
【００２９】
請求項５に記載の発明によれば、ローマ字の大小の違いを考慮せずに付帯情報同士の整合性判定を行うことができる。
【００３０】
請求項６に記載の発明によれば、文字の半角全角の違いを考慮せずに付帯情報同士の整合性判定を行うことができる。
【００３１】
請求項７に記載の発明によれば、文字スペースを考慮せずに付帯情報同士の整合性判定を行うことができる。
【００３２】
請求項８に記載の発明によれば、医用画像データの管理における利便性が向上する。
【図面の簡単な説明】
【００３３】
【図１】放射線科システムのシステム構成の一例を示すシステム構成図である。
【図２】ＤＩＣＯＭ画像データのデータ構成図である。
【図３】モダリティが生成するＤＩＣＯＭ画像データの付帯情報の一例を示す図である。
【図４】ＰＡＣＳのブロック図である。
【図５】ＤＩＣＯＭ画像データ管理ＤＢにおける管理テーブルの関連図である。
【図６】モダリティからＤＩＣＯＭ画像データを受信した際にＰＡＣＳが行う処理のフローチャートである。
【図７】放射線科システムのシステム構成の一例を示すシステム構成図である。
【図８】検像装置のブロック図である。
【発明を実施するための形態】
【００３４】
[第１の実施の形態]
以下、本発明の医用画像処理装置を図１のＰＡＣＳ２０に適用した場合の実施形態（第１の実施の形態）について図１〜図６を参照して説明する。
【００３５】
[放射線科システムのシステム構成]
先ず、ＰＡＣＳ２０を有する放射線科システム１００の概要について図１を用いて説明する。
【００３６】
図１は、放射線科システム１００のシステム構成の一例を示すブロック図である。図１によれば、放射線科システム１００は、モダリティ１０ａと、モダリティ１０ｂと、モダリティ１０ｃと、ＰＡＣＳ２０と、から構成されている。上記の各装置はＬＡＮ（Local Area Network）等の通信ネットワークＮを介してデータ通信可能に接続されている。
【００３７】
ここで、説明の都合上、各モダリティ１０ａ〜１０ｃを総じてモダリティ１０と称す。モダリティ１０は、患者を撮影し、医用画像の画像データ（医用画像データ）を生成する医用画像撮影装置である。モダリティ１０は、撮影技師等のユーザ操作に基づいて、患者を撮影し、医用画像データを生成する。また、モダリティ１０は、撮影技師等のユーザ操作に基づいて、医用画像データに関する付帯情報を生成する。そして、モダリティ１０は、医用画像データ（以下、実画像データと称す。）に付帯情報を付帯させて、ＤＩＣＯＭ規格に則ったＤＩＣＯＭ画像データを生成し、ＰＡＣＳ２０に送信する。モダリティ１０としては、ＣＲ装置、ＣＴ装置、ＭＲ装置等、様々な種類の医用画像を撮影する撮影装置（医用画像撮影装置）が適用可能である。以下、モダリティ１０ａをＡ社製のＭＲ装置、モダリティ１０ｂをＢ社製のＣＴ装置、モダリティ１０ｃをＣ社製のＣＴ装置として説明する。
【００３８】
図２に、モダリティ１０が生成するＤＩＣＯＭ画像データのデータ構成図を示す。前述したように、ＤＩＣＯＭ画像データは、付帯情報と実画像データとから構成される。また、付帯情報は、患者情報、検査情報、シリーズ情報及び画像識別情報を含む。
【００３９】
患者情報は、患者ＩＤ、患者氏名（ローマ字）、患者氏名（カナ）、患者氏名（漢字）、患者性別、患者誕生日等の項目を含んだ患者に関する情報である。検査情報は、検査を識別する検査ＩＤ、検査名、検査日時、受付番号、検査目的、検査内容等の検査に関する情報である。シリーズ情報は、シリーズ番号、モダリティ名、手技、撮影部位、撮影方向、撮影技師名等の、一つの検査の中で生成されるモダリティ毎の一連の医用画像の単位（シリーズ）に関する情報である。画像識別情報は、画像を識別するＳＯＰインスタンスＵＩＤ、画像番号、画像サイズ等の医用画像に関する情報である。
【００４０】
図３に、モダリティ１０が生成するＤＩＣＯＭ画像データの付帯情報の一例を示す。モダリティ１０は、ベンダの違い（Ａ社、Ｂ社、Ｃ社）やモダリティの種類の違い（ＭＲ装置、ＣＴ装置）、撮影技師等のユーザの文字入力の差異等により、異なった文字フォーマットや文字表記法でＤＩＣＯＭ画像データの付帯情報を生成する。
【００４１】
具体的には、モダリティ１０のベンダの違いにより、患者情報の項目「患者氏名（ローマ字）」のローマ字の大小（大文字、小文字）が異なる。図３に示すように、モダリティ１０ａ（Ａ社製ＭＲ装置）とモダリティ１０ｂ（Ｂ社製ＣＴ装置）では大文字、モダリティ１０ｃ（Ｃ社製ＣＴ装置）では小文字で「患者氏名（ローマ字）」が生成される。
【００４２】
また、モダリティ１０のベンダの違いにより、患者情報の項目「患者氏名（カナ）」の半角全角が異なる。図３に示すように、モダリティ１０ａ（Ａ社製ＭＲ装置）とモダリティ１０ｃ（Ｃ社製ＣＴ装置）では半角、モダリティ１０ｂ（Ｂ社製ＣＴ装置）では全角で「患者氏名（カナ）」が生成される。
【００４３】
また、モダリティ１０における撮影技師等のユーザの文字入力の差異等により、患者情報の項目「患者氏名（ローマ字）」の文字表記法が異なる。図３に示すように、モダリティ１０ａ（Ａ社製ＭＲ装置）とモダリティ１０ｃ（Ｃ社製ＣＴ装置）では、「たろう」が「TARO（大文字小文字を区別せず）」と表記される。モダリティ１０ｂ（Ｂ社製ＣＴ装置）では、「たろう」が「TAROU」と表記される。
【００４４】
また、モダリティ１０における撮影技師等のユーザの文字入力の差異等により、患者情報の項目「患者氏名（漢字）」に無駄なスペースが加えられている。図３に示すように、モダリティ１０ｃ（Ｃ社製ＣＴ装置）では、「東京^太郎」の後ろに無駄なスペースが加えられている。
【００４５】
また、モダリティ１０のベンダの違いにより、患者情報の項目が欠落している場合がある。図３に示すように、モダリティ１０ｃ（Ｃ社製ＣＴ装置）では、患者情報の項目「患者性別」「患者誕生日」が欠落している。
【００４６】
図１に戻り、ＰＡＣＳ２０は、モダリティ１０において生成されたＤＩＣＯＭ画像データを保存管理し、検索やデータ解析を行うデータベースシステムである。ＰＡＣＳ２０は、モダリティ１０から受信したＤＩＣＯＭ画像データに含まれる付帯情報に基づいて当該ＤＩＣＯＭ画像データを、例えば、リレーショナルデータベースに蓄積記憶していく。そして、ＰＡＣＳ２０は、読影医等の操作指示に応じて指定された患者ＩＤや検査ＩＤ等を検索キーとしてＤＩＣＯＭ画像データを検索し、図示しない画像ビューワやイメージャに出力する。
【００４７】
[ＰＡＣＳの機能的構成]
図４に、ＰＡＣＳ２０の機能的構成を示す。
【００４８】
図４に示すように、ＰＡＣＳ２０は、制御部２１、操作部２２、表示部２３、通信部２４、記憶部２５を備えて構成され、各部はバス２６により接続されている。
【００４９】
制御部２１は、ＣＰＵ（Central Processing Unit）、ＲＡＭ（Random Access Memory）等から構成され、ＰＡＣＳ２０の各部の処理動作を統括的に制御する。具体的には、ＣＰＵは、操作部２２から入力される操作信号又は通信部２４により受信される指示信号に応じて、記憶部２５に記憶されている各種処理プログラムを読み出し、ＲＡＭ内に形成されたワークエリアに展開し、当該プログラムとの協働により各種処理を行う。
【００５０】
操作部２２は、カーソルキー、数字入力キー、及び各種機能キー等を備えたキーボードと、マウス等のポインティングデバイスを備えて構成され、キーボードに対するキー操作やマウス操作により入力された操作信号を制御部２１に出力する。
【００５１】
表示部２３は、ＬＣＤ（Liquid Crystal Display）により構成され、制御部２１から入力される表示データに基づいて各種画面を表示する。
【００５２】
通信部２４は、ＬＡＮ（Local Area Network）アダプタ、ルータ、ＴＡ（Terminal Adapter）等を備え、通信ネットワークＮを介して接続されたモダリティ１０ａ〜１０ｃ等の外部機器との間でデータの送受信を行う。
【００５３】
記憶部２５は、ハードディスク等から構成され、制御プログラム、当該プログラムの実行に必要なパラメータやファイル等を記憶している。また、記憶部２５は、モダリティ１０ａ〜１０ｃにより生成されたＤＩＣＯＭ画像データを記憶する。
【００５４】
また、記憶部２５は、ＤＩＣＯＭ画像データを管理するためのデータベースプログラムであるＤＩＣＯＭ画像データ管理ＤＢ２５２を記憶する。ＤＩＣＯＭ画像データ管理ＤＢ２５２と制御部２１との協働により、記憶部２５に記憶されているＤＩＣＯＭ画像データを管理する。即ち、ＤＩＣＯＭ画像データ管理ＤＢ２５２と制御部２１との協働で、管理手段として機能する。
【００５５】
また、記憶部２５は、整合性判定プログラム２５１を記憶する。整合性判定プログラム２５１と制御部２１とは協働して、通信部２４を介して、外部機器（モダリティ１０ａ〜１０ｃ）からＤＩＣＯＭ画像データを取得する。そして、整合性判定プログラム２５１と制御部２１とは協働して、ＤＩＣＯＭ画像データＤＢ２５２から比較対象となるＤＩＣＯＭ画像データの付帯情報を取得する。そして、整合性判定プログラム２５１と制御部２１とは協働して、外部機器（モダリティ１０）から取得したＤＩＣＯＭ画像データの付帯情報と、ＤＩＣＯＭ画像データ管理ＤＢ２５２から取得した付帯情報との文字フォーマットや文字表記法を合わせ、各付帯情報の整合性を判定する。整合が取れていると判定した場合、整合性判定プログラム２５１と制御部２１とは協働して、モダリティ１０から取得したＤＩＣＯＭ画像データをＤＩＣＯＭ画像データ管理ＤＢ２５２に登録して記憶部２５に記憶させる。即ち、整合性判定プログラム２５１と制御部２１との協働で、制御手段として機能する。
【００５６】
図５に、ＤＩＣＯＭ画像データ管理ＤＢ２５２における管理テーブルの関連図を示す。
【００５７】
図５に示すように、ＤＩＣＯＭ画像データ管理ＤＢ２５２は、患者情報テーブルＴ１、検査情報テーブルＴ２、シリーズ情報テーブルＴ３、画像識別情報テーブルＴ４等の管理テーブルから構成される。
【００５８】
患者情報テーブルＴ１は、管理対象となるＤＩＣＯＭ画像データの付帯情報に含まれる患者情報を管理する管理テーブルである。患者情報テーブルＴ１は、「患者ＩＤ」「患者氏名（ローマ字）」「患者氏名（カナ）」「患者氏名（漢字）」「患者性別」「患者誕生日」等の項目から成る１又は複数のレコードから構成される。
【００５９】
検査情報テーブルＴ２は、管理対象となるＤＩＣＯＭ画像データの付帯情報に含まれる検査情報を管理する管理テーブルである。検査情報テーブルＴ２は、「検査ＩＤ」「検査名」「検査日時」「受付番号」「検査目的」「検査内容」等の項目から成る１又は複数のレコードから構成される。
【００６０】
シリーズ情報テーブルＴ３は、管理対象となるＤＩＣＯＭ画像データの付帯情報に含まれるシリーズ情報を管理する管理テーブルである。シリーズ情報テーブルＴ３は、「シリーズ番号」「モダリティ名」「手技」「撮影部位」「撮影方向」「撮影技師名」等の項目から成る１又は複数のレコードから構成される。
【００６１】
画像識別情報テーブルＴ４は、管理対象となるＤＩＣＯＭ画像データの付帯情報に含まれる画像識別情報を管理する管理テーブルである。画像識別情報テーブルＴ４は、「ＳＯＰインスタンスＵＩＤ」「画像番号」「画像サイズ」等の項目から成る１又は複数のレコードから構成される。
【００６２】
これらの管理テーブルは、ＤＩＣＯＭ画像データ管理ＤＢ２５２内で管理されるローカルＩＤ（ＬＩＤ）により関連付けられる。具体的に、患者情報テーブルＴ１の１レコードに対して、検査情報テーブルＴ２の１又は複数のレコードが関連付けられる。検査情報テーブルＴ２の１レコードに対して、シリーズ情報テーブルＴ３の１又は複数のレコードが関連付けられる。シリーズ情報テーブルＴ３の１レコードに対して、画像識別情報テーブルＴ４の１又は複数のレコードが関連付けられる。また、画像識別情報テーブルＴ４の１レコードに対して、１画像分のＤＩＣＯＭ画像データが関連付けられる（図示せず）。
【００６３】
[ＰＡＣＳの具体的な動作]
次に、モダリティ１０からＤＩＣＯＭ画像データを受信した際に、ＰＡＣＳ２０が行う処理の具体的な動作について、図６を用いて説明する。
【００６４】
ＰＡＣＳ２０の制御部２１は、通信部２４を介してモダリティ１０ａ〜１０ｃの何れかからＤＩＣＯＭ画像データを取得する（ステップＳ１）。
【００６５】
制御部２１は、ステップＳ１においてモダリティ１０から取得したＤＩＣＯＭ画像データの付帯情報に含まれる患者情報を抽出する（ステップＳ２）。この抽出された患者情報は、整合性判定用の患者情報として、取得したＤＩＣＯＭ画像データとは別にＲＡＭに一時記憶される。
【００６６】
制御部２１は、ＤＩＣＯＭ画像データ管理ＤＢ２５２から、ステップＳ２において抽出された患者情報との比較対象となる患者情報を取得する（ステップＳ３）。
【００６７】
具体的に、制御部２１は、ステップＳ２において抽出した患者情報の項目「患者ＩＤ」を読み出す。そして、制御部２１は、この「患者ＩＤ」と同じ値の「患者ＩＤ」を持つレコード（患者情報）を、ＤＩＣＯＭ画像データ管理ＤＢ２５２の患者情報テーブルＴ１から検索して取得する。
【００６８】
次に、制御部２１は、ステップＳ２において抽出した患者情報と、ステップＳ３において取得した患者情報とに含まれる項目「患者氏名（ローマ字）」のローマ字の大小が合っているか否かを判定する（ステップＳ４）。
【００６９】
ステップＳ４において、ローマ字の大小が合っている場合、即ち、項目「患者氏名（ローマ字）」がローマ字の大小で整合が取れている場合（ステップＳ４；ＮＯ）、制御部２１は、ステップＳ２において抽出した患者情報と、ステップＳ３において取得した患者情報とに含まれる項目「患者氏名（カナ）」のカナの全角半角が合っているか否かを判定する（ステップＳ６）。
【００７０】
一方、ステップＳ４において、ローマ字の大小が合っていない場合、即ち、項目「患者氏名（ローマ字）」がローマ字の大小で不整合の場合（ステップＳ４；ＹＥＳ）、制御部２１は、ステップＳ２において抽出した患者情報の項目「患者氏名（ローマ字）」のローマ字の大小を、ステップＳ３において取得した患者情報の項目「患者氏名（ローマ字）」のローマ字の大小に合わせる（ステップＳ５）。具体的に、ＤＩＣＯＭ画像データ管理ＤＢ２５２において、項目「患者氏名（ローマ字）」が大文字で扱われている場合、制御部２１は、ステップＳ２において抽出した患者情報の項目「患者氏名（ローマ字）」のローマ字を小文字から大文字に変換する。また、ＤＩＣＯＭ画像データ管理ＤＢ２５２において、項目「患者氏名（ローマ字）」が小文字で扱われている場合、制御部２１は、ステップＳ２において抽出した患者情報の項目「患者氏名（ローマ字）」のローマ字を大文字から小文字に変換する。
【００７１】
そして、制御部２１は、ステップＳ２において抽出した患者情報と、ステップＳ３において取得した患者情報とに含まれる項目「患者氏名（カナ）」のカナの全角半角が合っているか否かを判定する（ステップＳ６）。
【００７２】
ステップＳ６において、カナの全角半角が合っている場合、即ち、項目「患者氏名（カナ）」がカナの全角半角で整合が取れている場合（ステップＳ６；ＮＯ）、制御部２１は、ステップＳ２において抽出した患者情報と、ステップＳ３において取得した患者情報とに含まれる項目「患者氏名（ローマ字）」の文字表記法が合っているか否かを判定する（ステップＳ８）。
【００７３】
一方、ステップＳ６において、カナの全角半角が合っていない場合、即ち、項目「患者氏名（カナ）」がカナの全角半角で整合が取れていない場合（ステップＳ６；ＹＥＳ）、制御部２１は、ステップＳ２において抽出した患者情報の項目「患者氏名（カナ）」のカナの全角半角を、ステップＳ３において取得した患者情報の項目「患者氏名（カナ）」のカナの全角半角に合わせる（ステップＳ７）。具体的に、ＤＩＣＯＭ画像データ管理ＤＢ２５２において、項目「患者氏名（カナ）」が全角で扱われている場合、制御部２１は、ステップＳ２において抽出した患者情報の項目「患者氏名（カナ）」のカナを半角から全角に変換する。また、ＤＩＣＯＭ画像データ管理ＤＢ２５２において、項目「患者氏名（カナ）」が半角で扱われている場合、制御部２１は、ステップＳ２において抽出した患者情報の項目「患者氏名（カナ）」のカナを全角から半角に変換する。
【００７４】
そして、制御部２１は、ステップＳ２において抽出した患者情報と、ステップＳ３において取得した患者情報とに含まれる項目「患者氏名（ローマ字）」の文字表記法が合っているか否かを判定する（ステップＳ８）。
【００７５】
ステップＳ８において、文字表記法が合っている場合、即ち、項目「患者氏名（ローマ字）」が表記で整合が取れている場合（ステップＳ８；ＮＯ）、制御部２１は、ステップＳ２において抽出した患者情報と、ステップＳ３において取得した患者情報とに含まれる全項目の半角スペース、全角スペースを除去する（ステップＳ１０）。
【００７６】
一方、ステップＳ８において、文字表記法が合っていない場合、即ち、項目「患者氏名（ローマ字）」が表記で不整合の場合（ステップＳ８；ＹＥＳ）、制御部２１は、ステップＳ２において抽出した患者情報の項目「患者氏名（ローマ字）」の表記法を、ステップＳ３において取得した患者情報の項目「患者氏名（ローマ字）」の表記法に合わせる（ステップＳ９）。具体的に、ＤＩＣＯＭ画像データ管理ＤＢ２５２において、項目「患者氏名（ローマ字）」の表記がヘボン式である場合、制御部２１は、ステップＳ２において抽出した患者情報の項目「患者情報（ローマ字）」の表記をヘボン式に変換する。
【００７７】
そして、制御部２１は、ステップＳ２において抽出した患者情報と、ステップＳ３において取得した患者情報とに含まれる全項目の半角スペース、全角スペースを除去する（ステップＳ１０）。
【００７８】
ステップＳ１０の処理を行った後、制御部２１は、ステップＳ２において抽出した患者情報に項目の欠落があるか否かを判定する（ステップＳ１１）。抽出した患者情報に項目の欠落が無い場合（ステップＳ１１；ＮＯ）、制御部２１は、不整合判定処理を行う（ステップＳ１３）。
【００７９】
具体的に、制御部２１は、ステップＳ２において抽出した患者情報の「患者ＩＤ」以外の項目（「患者氏名（ローマ字）」「患者氏名（カナ）」「患者氏名（漢字）」「患者性別」「患者誕生日」）と、ステップＳ３において取得した患者情報の「患者ＩＤ」以外の項目と、をそれぞれ比較する。これらの項目の値が全て一致した場合、制御部２１は、モダリティ１０から取得したＤＩＣＯＭ画像データの患者情報を「整合性有り」と判定する。一方、これらの項目の何れかが一致しない場合、制御部２１は、モダリティ１０から取得したＤＩＣＯＭ画像データの患者情報を「整合性無し」と判定する。
【００８０】
制御部２１は、「整合性有り」と判定した場合、モダリティ１０から取得したＤＩＣＯＭ画像データをＤＩＣＯＭ画像データ管理ＤＢ２５２に登録して記憶部２５に記憶させる。一方、制御部２１は、「整合性無し」と判定した場合、モダリティ１０から取得したＤＩＣＯＭ画像データをＤＩＣＯＭ画像データ管理ＤＢ２５２に登録しない。
【００８１】
ステップＳ１１において、抽出した患者情報に項目の欠落が有る場合（ステップＳ１１；ＹＥＳ）、制御部２１は、情報補間処理を行う（ステップＳ１２）。具体的に、項目「患者性別」と「患者誕生日」の情報が欠落していた場合、制御部２１は、ステップＳ３において取得した患者情報の項目「患者性別」と「患者誕生日」の値を、ステップＳ２において抽出した患者情報の項目「患者性別」と「患者誕生日」に反映する。更に、制御部２１は、これらの項目の値を、モダリティ１０から取得したＤＩＣＯＭ画像データの付帯情報に含まれる患者情報の項目「患者性別」と「患者誕生日」に反映する。
【００８２】
尚、ステップＳ３において取得した患者情報の項目が欠落している場合は、ステップＳ２において抽出した患者情報の項目を、ＤＩＣＯＭ画像データ管理ＤＢ２５２に登録されている患者情報の項目に反映する構成としてもよい。
【００８３】
そして、制御部２１は、不整合判定処理を行う（ステップＳ１３）。制御部２１は、「整合性有り」と判定した場合、モダリティ１０から取得したＤＩＣＯＭ画像データをＤＩＣＯＭ画像データ管理ＤＢ２５２に登録して記憶部２５に記憶させる。一方、制御部２１は、「整合性無し」と判定した場合、モダリティ１０から取得したＤＩＣＯＭ画像データをＤＩＣＯＭ画像データ管理ＤＢ２５２に登録しない。
【００８４】
以上、第１の実施の形態によれば、ＰＡＣＳ２０の制御部２１は、整合性判定プログラム２５１と協働して以下のような処理を行う。即ち、制御部２１は、通信部２４を介してモダリティ１０からＤＩＣＯＭ画像データを取得する。また、制御部２１は、ＤＩＣＯＭ画像データ管理ＤＢ２５２から比較対象となる患者情報を取得する。そして、制御部２１は、モダリティ１０から取得したＤＩＣＯＭ画像データの付帯情報に含まれる患者情報と、ＤＩＣＯＭ画像データ管理ＤＢ２５２から取得した患者情報との文字フォーマットや文字表記法を合わせ、各患者情報の整合性を判定する。整合が取れていると判定した場合、制御部２１は、モダリティ１０から取得したＤＩＣＯＭ画像データをＤＩＣＯＭ画像データ管理ＤＢ２５２に登録して記憶部２５に記憶させる。
【００８５】
そのため、ＰＡＣＳ２０は、モダリティ１０のベンダ毎の仕様の違い等による付帯情報の軽微な違いを考慮せずに付帯情報同士の整合性判定を行うことができる。そして、ＰＡＣＳ２０は、軽微な違いがある付帯情報を付帯したＤＩＣＯＭ画像データでも、ＤＩＣＯＭ画像データ管理ＤＢ２５２に登録し、記憶管理することができる。
【００８６】
また、ＰＡＣＳ２０の制御部２１は、モダリティ１０から取得したＤＩＣＯＭ画像データの付帯情報に含まれる患者情報に項目の欠落があると判定した場合、情報補間処理を行う。そのため、ＤＩＣＯＭ画像データの管理における利便性が向上する。
【００８７】
[第２の実施の形態]
以下、本発明の医用画像処理装置を図７の検像装置３０に適用した場合の実施形態（第２の実施の形態）について図７、図８を参照して説明する。ここでは、上述した第１の実施の形態と異なる点を中心に説明する。
【００８８】
[放射線科システムのシステム構成]
図７は、放射線科システム１００のシステム構成の一例を示すブロック図である。図７によれば、放射線科システム１００は、モダリティ１０ａと、モダリティ１０ｂと、モダリティ１０ｃと、ＰＡＣＳ２０と、検像装置３０と、から構成されている。上記の各装置はＬＡＮ等の通信ネットワークＮを介してデータ通信可能に接続されている。
【００８９】
モダリティ１０は、ＤＩＣＯＭ画像データを生成し、検像装置３０に送信する。
【００９０】
検像装置３０は、モダリティ１０ａ〜１０ｃから送信されるＤＩＣＯＭ画像データを受信して、検像用のデータベースにＤＩＣＯＭ画像データを蓄積していき、撮影技師の検像を待機する。
【００９１】
「検像」とは、医用画像が診断に適した画質であるか、モダリティ１０から受信したＤＩＣＯＭ画像データの付帯情報と、ＰＡＣＳ２０において管理されているＤＩＣＯＭ画像データの付帯情報との整合が取れているか等をＤＩＣＯＭ画像データのＰＡＣＳ２０への送信前に確認及び修正する行為である。
【００９２】
撮影技師は、ＤＩＣＯＭ画像データの検像を行った後、検像対象となったＤＩＣＯＭ画像データを診断用として使用してもよいと判断した場合、このＤＩＣＯＭ画像データを診断用としてＰＡＣＳ２０に登録するように承認するための、検像装置３０への承認操作を行う。この承認操作に従って、ＤＩＣＯＭ画像データがＰＡＣＳ２０に転送される。
【００９３】
ＰＡＣＳ２０は、検像装置３０からＤＩＣＯＭ画像データを受信すると、このＤＩＣＯＭ画像データを記憶し管理する。
【００９４】
[検像装置の機能的構成]
図８に、検像装置３０の機能的構成を示す。
【００９５】
図８に示すように、検像装置３０は、制御部３１、操作部３２、表示部３３、通信部３４、記憶部３５を備えて構成され、各部はバス３６により接続されている。
【００９６】
制御部３１は、ＣＰＵ、ＲＡＭ等から構成され、検像装置３０の各部の処理動作を統括的に制御する。具体的には、ＣＰＵは、操作部３２から入力される操作信号又は通信部３４により受信される指示信号に応じて、記憶部３５に記憶されている各種処理プログラムを読み出し、ＲＡＭ内に形成されたワークエリアに展開し、当該プログラムとの協働により各種処理を行う。
【００９７】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００９８】
表示部３３は、ＬＣＤにより構成され、制御部３１から入力される表示データに基づいて各種画面を表示する。
【００９９】
通信部３４は、ＬＡＮアダプタ、ルータ、ＴＡ等を備え、通信ネットワークＮを介して接続されたモダリティ１０ａ〜１０ｃ、ＰＡＣＳ２０等の外部機器との間でデータの送受信を行う。
【０１００】
記憶部３５は、ハードディスク等から構成され、制御プログラム、当該プログラムの実行に必要なパラメータやファイル等を記憶している。また、記憶部３５は、検像待ちのＤＩＣＯＭ画像データ（図示せず）を一時的に記憶する。
【０１０１】
また、記憶部３５は、整合性判定プログラム３５１を記憶する。整合性判定プログラム３５１と制御部３１とは協働して、通信部３４と記憶部３５を介して、外部機器（モダリティ１０ａ〜１０ｃ）からＤＩＣＯＭ画像データを取得する。そして、整合性判定プログラム３５１と制御部３１とは協働して、通信部３４を介して、ＰＡＣＳ２０から比較対象となるＤＩＣＯＭ画像データの付帯情報を取得する。そして、整合性判定プログラム３５１と制御部３１とは協働して、外部機器（モダリティ１０）から取得したＤＩＣＯＭ画像データの付帯情報と、ＰＡＣＳ２０から取得した付帯情報との文字フォーマットや文字表記法を合わせ、各付帯情報の整合性を判定する。整合が取れていると判定した場合、整合性判定プログラム３５１と制御部３１とは協働して、通信部３４を介して、モダリティ１０から取得したＤＩＣＯＭ画像データを、ＰＡＣＳ２０に送信する。即ち、整合性判定プログラム３５１と制御部３１との協働で、制御手段及び送信手段として機能する。
【０１０２】
[検像装置の具体的な動作]
次に、モダリティ１０からＤＩＣＯＭ画像データを受信した際に、検像装置３０が行う処理の具体的な動作について説明する。ここでは、第１の実施の形態におけるＰＡＣＳ２０の具体的な処理（図６）を参考に説明する。
【０１０３】
検像装置３０の制御部３１は、通信部３４を介してモダリティ１０ａ〜１０ｃの何れかからＤＩＣＯＭ画像データを取得し、患者情報を抽出する（図６のステップＳ１、Ｓ２に対応）。この抽出された患者情報は、整合性判定用の患者情報として、取得したＤＩＣＯＭ画像データとは別にＲＡＭに一時記憶される。
【０１０４】
そして、検像装置３０の制御部３１は、通信部３４を介して、この抽出した患者情報との比較対象となる患者情報をＰＡＣＳ２０から取得する。
【０１０５】
具体的に、制御部３１は、通信部３４を介して、この抽出した患者情報の項目「患者ＩＤ」を含む患者情報取得要求をＰＡＣＳ２０に送信する。そして、制御部３１は、通信部３４を介して、ＰＡＣＳ２０から、患者情報取得要求に含まれる「患者ＩＤ」を持つ患者情報を取得する。
【０１０６】
そして、制御部３１は、モダリティ１０から取得したＤＩＣＯＭ画像データから抽出した患者情報と、ＰＡＣＳ２０から取得した患者情報とに対して、文字フォーマットや文字表記法を合わせる処理を行う（図６のステップＳ４〜ステップＳ１２に対応）。
【０１０７】
そして、制御部３１は、不整合判定処理を行う（ステップＳ１３に対応）。制御部３１は、「整合性有り」と判定した場合、モダリティ１０から取得したＤＩＣＯＭ画像データを、通信部３４を介してＰＡＣＳ２０に送信する。ＰＡＣＳ２０の制御部２１は、このＤＩＣＯＭ画像データをＤＩＣＯＭ画像データ管理ＤＢ２５２に登録し、記憶部２５に記憶させる。
【０１０８】
一方、制御部３１は、「整合性無し」と判定した場合、モダリティ１０から取得したＤＩＣＯＭ画像データを、ＰＡＣＳ２０に送信しない。
【０１０９】
以上、第２の実施の形態によれば、検像装置３０の制御部３１は、整合性判定プログラム３５１と協働して以下のような処理を行う。即ち、制御部３１は、通信部３４を介してモダリティ１０からＤＩＣＯＭ画像データを取得する。また、制御部３１は、通信部３４を介して、ＰＡＣＳ２０から比較対象となる患者情報を取得する。そして、制御部３１は、モダリティ１０から取得したＤＩＣＯＭ画像データの付帯情報に含まれる患者情報と、ＰＡＣＳ２０から取得した患者情報との文字フォーマットや文字表記法を合わせ、各患者情報の整合性を判定する。整合性が取れていると判定した場合、制御部３１は、モダリティ１０から取得したＤＩＣＯＭ画像データをＰＡＣＳ２０に転送する。ＰＡＣＳ２０は、このＤＩＣＯＭ画像データを記憶管理する。
【０１１０】
そのため、検像装置３０は、モダリティ１０のベンダ毎の仕様の違い等による付帯情報の軽微な違いを考慮せずに付帯情報同士の整合性判定を行うことができる。そして、検像装置３０は、軽微な違いがある付帯情報を付帯したＤＩＣＯＭ画像データでも、ＰＡＣＳ２０に送信し、ＰＡＣＳ２０において、このＤＩＣＯＭ画像データを記憶管理することができる。
【０１１１】
尚、各実施の形態（第１、第２の実施の形態）における記述は、本発明に係る医用画像処理装置の一例であり、これに限定されるものではない。システム及び各装置の細部構成及び細部動作に関しても適宜変更可能である。
【０１１２】
例えば、第１、第２の実施の形態では、患者情報についての整合性の判定を行ったが、検査情報についての整合性の判定を行ってもよい。
【０１１３】
また、第１、第２の実施の形態では、プログラムを格納したコンピュータ読み取り可能な媒体としてハードディスクを使用した例を開示したが、この例に限定されない。その他のコンピュータ読み取り可能な媒体として、ＣＤ−ＲＯＭ等の可搬型記憶媒体、フラッシュメモリ等の不揮発性メモリ等を適用することが可能である。また、プログラムのデータを通信回線を介して提供する媒体として、キャリアウェーブ（搬送波）も適用可能である。
【符号の説明】
【０１１４】
１０      モダリティ
１０ａ    モダリティ
１０ｂ    モダリティ
１０ｃ    モダリティ
２０      ＰＡＣＳ
２１      制御部
２２      操作部
２３      表示部
２４      通信部
２５      記憶部
２６      バス
３０      検像装置
３１      制御部
３２      操作部
３３      表示部
３４      通信部
３５      記憶部
３６      バス
１００    放射線科システム
２５１    整合性判定プログラム
２５２    ＤＩＣＯＭ画像データ管理ＤＢ
３５１    整合性判定プログラム
Ｎ        通信ネットワーク
Ｔ１      患者情報テーブル
Ｔ２      検査情報テーブル
Ｔ３      シリーズ情報テーブル
Ｔ４      画像識別情報テーブル
【図１】
2010250406.tif 000003
【図２】
2010250406.tif 000004
【図３】
2010250406.tif 000005
【図４】
2010250406.tif 000006
【図５】
2010250406.tif 000007
【図６】
2010250406.tif 000008
【図７】
2010250406.tif 000009
【図８】
2010250406.tif 000010